(57)【要約】【目的】視野角特性が良好で、信頼性と生産性にすぐれ、応答速度がはやく　動画表示に適した明るい大画面表示装置を実現する。【構成】垂直配向方式液晶表示装置に関して１画素内にそれぞれ独立した２行の液晶配向制御電極が存在し、それぞれ異なる電圧が印加されている。２行の液晶配向制御電極は、垂直周期におうじて、互いの電圧がいれかわるようになっており、配向制御電極と画素電極と対向基板側に形成されている共通電極の３つの電極が作りだす電界分布により垂直配向された負の誘電率異方性液晶分子の運動方向をコントロールしている。【選択図】図７
2004102209.tif 000002
【特許請求の範囲】
【請求項１】
基板上に走査信号配線と映像信号配線と、前記走査信号配線と映像信号配線との各交差部に形成された薄膜トランジスタと、前記薄膜トランジスタに接続された細長い複数のスリットが形成されている透明画素電極と、前記透明画素電極のスリットの下層に絶縁膜をかいして形成された液晶配向方向制御電極を有するアクティブマトリックス基板と、前記アクティブマトリックス基板に対向するカラーフィルター基板と、前記アクティブマトリックス基板と前記カラーフィルター基板に挾持された負の誘電率異方性液晶層とからなるカラーアクティブマトリックス型垂直配向方式液晶表示装置に関して、アクティブマトリックス基板とカラーフィルター基板間に、垂直配向された液晶分子に電圧を印加し、異なる２方向または異なる４方向に液晶分子をたおれさせるために、下記の２種類の電極構造をアクティブマトリックス基板の１画素内に形成した。
ｉ）カラーフィルター基板側には透明なベタ電極を用い、これに対向するアクティブマトリックス基板側の透明画素電極には、細長いスリット状のパターン（スリット部には透明電極はない。）を形成する。
ｉｉ）カラーフィルター基板側には、透明なベタ電極を用い、これに対向するアクティブマトリックス基板側の透明画素電極には、細長いスリット状のパターンを形成し、このスリットの下層に絶縁膜をかいしてスリットの形状とほぼ同じ形状でスリットよりもオーバーサイズになっている液晶配向方向制御電極を形成する。
【請求項２】
請求項１の液晶表示装置の駆動方法に関して、アクティブマトリックス基板側の各画素ごとに分離された透明画素電極の電位が、対向するカラーフィルター基板側のベタ共通電極の電位よりも低い時に、透明画素電極のスリットの下層に設置された液晶配向方向制御電極の電位が透明画素電極の電位よりも低く設置されており、かつ透明画素電極の電位が、対向するカラーフィルター基板側のベタ共通電極の電位よりも高い時には、透明画素電極のスリットの下層に設置された液晶配向方向制御電極の電位が、透明画素電極の電位よりも高く設置されており、かつ、透明画素電極の電位と液晶配向方向制御電極の電位は、カラーフィルター基板側の共通電極の電位に対して、垂直走査周期ごとに、極性を反転させることを特徴とする垂直配向方式液晶表示装置の駆動方法とこの駆動方式を用いる垂直配向方式液晶表示装置
【請求項３】
基板上に走査信号配線と映像信号配線と、前記走査信号配線と映像信号配線との各交差部に形成された薄膜トランジスタと、前記薄膜トランジスタに接続された細長い複数のスリットが形成されている透明画素電極と前記透明画素電極のスリットの下層に絶縁膜をかいして形成された液晶配向方向制御電極を有するアクティブマトリックス基板と、前記アクティブマトリックス基板に対向するカラーフィルター基板と、前記アクティブマトリックス基板と前記カラーフィルター基板に挾持された負の誘電率異方性液晶層とからなるカラーアクティブマトリックス型垂直配向方式液晶表示装置に関して、アクティブマトリックス基板とカラーフィルター基板間に垂直配向された液晶分子に電圧を印加し、異なる２方向または４方向に液晶分子をたおれさせるために、下記の２種類の電極構造をアクティブマトリックス基板の１画素内に形成した。
ｉ）カラーフィルター基板側には透明なベタ電極を用いこれに対向するアクティブマトリックス基板側の透明画素電極には、細長いスリット状のパターン（スリット部には透明電極はない。）を形成する。
ｉｉ）カラーフィルター基板側には透明なベタ電極を用い、これに対向するアクティブマトリックス基板側の透明画素電極には、細長いスリット状のパターンが形成されており、透明画素電極の下層には、絶縁層をかいして、２行の互いに分離され、それぞれ異なる電位に設定されている液晶配向方向制御電極が存在し、このうちのどちらか１方の液晶配向方向制御電極が前記細長いスリット状のパターンの形状とほぼ同じ形状で、スリットよりもオーバーサイズになっており、かつ２行の互いに分離独立した液晶配向方向制御電極が走査信号配線方向に、一定の画素周期ごとに互いにいれかわって透明画素電極に形成された細長いスリットの下層に配置されている。
【請求項４】
請求項３の液晶表示装置の駆動方法に関してアクティブマトリックス基板側の各画素ごとに分離された透明画素電極の電位が、対向するカラーフィルター基板側のベタ共通電極の電位よりも低い時に、透明画素電極のスリットの下層に設置された液晶配向方向制御電極の電位が透明画素電極の電位よりも低く設定されており、かつ透明画素電極の電位が、対向するカラーフィルター基板側のベタ共通電極の電位よりも高い時に、透明画素電極のスリットの下層に設置された液晶配向方向制御電極の電位が、透明画素電極の電位よりも高く設定されており、かつ走査信号配線の両側に近接して配置されている液晶配向方向制御電極の電位がお互いに異なった極性電位に設定されており、かつ透明画素電極の電位と、１画素内に分離独立している２行の液晶配向方向制御電極のそれぞれの電位は、カラーフィルター基板側の共通電極の電位に対して垂直走査周期ごとに、極性を反転させることを特徴とする垂直配向方式液晶表示装置の駆動方法と、この駆動方式を用いる垂直配向方式液晶表示装置。
【請求項５】
基板上に走査信号配線と映像信号配線と前記走査信号配線と映像信号配線との各交差部に形成された薄膜トランジスタと、前記薄膜トランジスタに接続された細長い複数のスリットが形成された透明画素電極と、前記透明画素電極のスリットの下層に絶縁膜をかいして形成された液晶配向制御電極を有するアクティブマトリックス基板と、前記アクティブマトリックス基板に対向するカラーフィルター基板と、前記アクティブマトリックス基板と前記カラーフィルター基板に挾持された負の誘電率異方性液晶層とからなりたち、かつ前記走査信号配線の方向に隣り合う透明画素電極が互いに異なる走査信号配線によって制御される薄膜トランジスタに接続されているカラーアクティブマトリックス型垂直配向方式液晶表示装置に関して、アクティブマトリックス基板とカラーフィルター基板間に垂直配向された液晶分子に電圧を印加し、異なる２方向または異なる４方向に液晶分子をたおれさせるために、下記の２種類の電極構造を、アクティブマトリックス基板の１画素内に形成した。
ｉ）カラーフィルター基板側には、透明なベタ電極を用い、これに対向するアクティブマトリックス基板側の透明画素電極には、細長いスリット状のパターン（スリット部には透明電極はない。）を形成する。
ｉｉ）カラーフィルター基板側には透明なベタ電極を用いこれに対向するアクティブマトリックス基板側の透明画素電極には、細長いスリット状のパターンを形成し、このスリットの下層に絶縁膜をかいしてスリットの形状とほぼ同じ形状で、スリットよりもオーバーサイズになっている液晶配向方向制御電極を形成する。
【請求項６】
請求項５の液晶表示装置の駆動方法に関して、アクティブマトリックス基板側の各画素ごとに分離された透明画素電極の電位が、対向するカラーフィルター基板側のベタ共通電極の電位よりも低い時に、透明画素電極のスリットの下層に設置された液晶配向方向制御電極の電位が透明画素電極の電位よりも低く設定されており、かつ透明画素電極の電位が、対向するカラーフィルター基板側のベタ共通電極の電位よりも高い時には、透明画素電極のスリットの下層に設置された液晶配向方向制御電極の電位が、透明画素電極の電位よりも高く設定されており、かつ透明画素電極の電位と液晶配向方向制御電極の電位は、カラーフィルター基板側の共通電極の電位に対して、垂直走査周期ごとに、極性を反転させることを特徴とする垂直配向方式液晶表示装置の駆動方法と、この駆動方式を用いる垂直配向方式液晶表示装置。
【請求項７】
基板上に走査信号配線と映像信号配線と前記走査信号配線と映像信号配線との各交差部に形成された薄膜トランジスタと前記薄膜トランジスタに接続された円形または多角形の複数の穴と、細長い複数のスリットが形成されている透明画素電極と、前記透明画素電極のスリットの下層に絶縁膜をかいして形成された液晶配向方向制御電極を有するアクティブマトリックス基板と、前記アクティブマトリックス基板に対向するカラーフィルター基板と、前記アクティブマトリックス基板と前記カラーフィルター基板に挾持された負の誘電率異方性液晶層とからなるカラーアクティブマトリックス型垂直配向方式液晶表示装置に関して、アクティブマトリックス基板とカラーフィルター基板間に、垂直配向された液晶分子に電圧を印加して、多方向に液晶分子をたおれさせるために下記の２種類の電極構造をアクティブマトリックス基板の１画素内に形成した。
ｉ）カラーフィルター基板側には透明なベタ電極を用いこれに対向するアクティブマトリックス基板側の透明画素電極には、円形または多角形の穴（穴の部分には透明電極はない。）を多数形成する。
ｉｉ）カラーフィルター基板側には透明なベタ電極を用い、これに対向するアクティブマトリックス基板側の透明画素電極には、細長いスリット状のパターンを形成し、このスリットの下層に絶縁膜をかいして、スリットの形状とほぼ同じ形状でスリットよりもオーバーサイズになっている液晶配向方向制御電極を形成する。
【請求項８】
請求項７の液晶表示装置の駆動方法に関して、アクティブマトリックス基板側の各画素ごとに分離された透明画素電極の電位が対向するカラーフィルター基板側のベタ共通電極の電位よりも低い時に、透明画素電極のスリットの下層に設置された液晶配向方向制御電極の電位が透明画素電極の電位よりも低く設定されており、かつ透明画素電極の電位が対向するカラーフィルター基板側のベタ共通電極の電位よりも高い時には、透明画素電極のスリットの下層に設置された液晶配向方向制御電極の電位が、透明画素電極の電位よりも高く設定されており、かつ透明画素電極の電位と液晶配向方向制御電極の電位は、カラーフィルター基板側の共通電極の電位に対して、垂直走査周期ごとに、極性を反転されることを特徴とする垂直配向方式液晶表示装置の駆動方法とこの駆動方式を用いる垂直配向方式液晶表示装置。
【請求項９】
基板上に走査信号配線と映像信号配線と前記走査信号配線と映像信号配線との各交差部に形成された薄膜トランジスタと、前記薄膜トランジスタに接続された円形または多角形の複数の穴と、細長い複数のスリットが形成されている透明画素電極と、前記透明画素電極のスリットの下層に絶縁膜をかいして形成された液晶配向方向制御電極を有するアクティブマトリックス基板と、前記アクティブマトリックス基板に対向するカラーフィルター基板と、前記アクティブマトリックス基板と、前記カラーフィルター基板に挾持された負の誘電率異方性液晶層とからなるカラーアクティブマトリックス型垂直配向方式液晶表示装置に関して、アクティブマトリックス基板と、カラーフィルター基板間に、垂直配向された液晶分子に電圧を印加して、多方向に、液晶分子をたおれさせるために下記の２種類の電極構造をアクティブマトリックス基板の１画素内に形成した。
ｉ）カラーフィルター基板側には透明なベタ電極を用い、これに対向するアクティブマトリックス基板側の透明画素電極には、円形または多角形の穴（穴の部分には透明電極はない。）を多数形成する。
ｉｉ）カラーフィルター基板側には透明なベタ電極を用い、これに対向するアクティブマトリックス基板側の透明画素電極には、細長いスリット状のパターンが形成されており、透明画素電極には、細長いスリット状のパターンが形成されており、透明画素電極の下層には、絶縁層をかいして、２行の互いに分離され、それぞれ異なる電位に設定されている液晶配向方向制御電極が存在し、このうちのどちらか１方の液晶配向方向制御電極が、前記細長いスリット状のパターン形状とほぼ同じ形状で、スリットよりもオーバーサイズになっており、かつ２行の互いに分離独立した液晶配向方向制御電極が、走査信号配線方向に、一定の画素周期ごとに互いにいれかわって透明画素電極に形成された細長いスリットの下層に配置されている。
【請求項１０】
請求項９の液晶表示装置の駆動方法に関してアクティブマトリックス基板側の各画素ごとに分離された透明画素電極の電位が、対向するカラーフィルター基板側のベタ共通電極の電位よりも低い時に、透明画素電極のスリットの下層に設置された液晶配向方向制御電極の電位が透明画素電極の電位よりも低く設定されており、かつ透明画素電極の電位が対向するカラーフィルター基板側のベタ共通電極の電位よりも高い時に、透明画素電極のスリットの下層に設置された液晶配向方向制御電極の電位が、透明画素電極の電位よりも高く設定されており、かつ走査信号配線の両側に近接して配置されている液晶配向方向制御電極の電位が、お互いに異なった極性電位に設定されており、かつ透明画素電極の電位と、１画素内に分離独立している２行の液晶配向方向制御電極のそれぞれの電位は、カラーフィルター基板側の共通電極の電位に対して垂直走査周期ごとに、極性を反転させることを特徴とする垂直配向方式液晶表示装置の駆動方法と、この駆動方式を用いる垂直配向方式液晶表示装置
【請求項１１】
基板上に走査信号配線と映像信号配線と前記走査信号配線と映像信号配線との各交差部に形成された薄膜トランジスタと、前記薄膜トランジスタに接続された円形または多角形の複数の穴と、細長い複数のスリットが形成されている透明画素電極と、前記透明画素電極のスリットの下層に絶縁膜をかいして形成された液晶配向方向制御電極を有するアクティブマトリックス基板と、前記アクティブマトリックス基板に対向するカラーフィルター基板と、前記アクティブマトリックス基板と前記カラーフィルター基板に挟持された負の誘電率異方性液晶層とからなりたち、かつ前記走査信号配線の方向に、隣り合う透明画素電極が互いに異なる走査信号配線によって制御される薄膜トランジスタに接続されているカラーアクティブマトリックス型垂直配向方式液晶表示装置に関して、アクティブマトリックス基板とカラーフィルター基板間に垂直配向された液晶分子に電圧を印加して、多方向に液晶分子をたおれさせるために、下記の２種類の電極構造をアクティブマトリックス基板の１画素内に形成した。
ｉ）カラーフィルター基板側には透明なベタ電極を用い、これに対向するアクティブマトリックス基板側の透明画素電極には、円形または多角形の穴（穴の部分には透明電極はない。）を多数形成する
ｉｉ）カラーフィルター基板側には透明なベタ電極を用い、これに対向するアクティブマトリックス基板側の透明画素電極には、細長いスリット状のパターンを形成し、このスリットの下層に絶縁膜をかいして　スリットの形状とほぼ同じ形状でスリットよりもオーバーサイズになっている液晶配向方向制御電極を形成する。
【請求項１２】
請求項１１の液晶表示装置の駆動方法に関してアクティブマトリックス基板側の各画素ごとに分離された透明画素電極の電位が、対向するカラーフィルター基板側のベタ共通電極の電位よりも低い時に、透明画素電極のスリットの下層に設置された液晶配向方向制御電極の電位が透明画素電極の電位よりも低く、設定されており、かつ透明画素電極の電位が対向するカラーフィルター基板側のベタ共通電極の電位よりも高い時には、透明画素電極のスリットの下層に設置された液晶配向方向制御電極の電位が透明画素電極の電位よりも高く設定されており、かつ透明画素電極の電位と、液晶配向方向制御電極の電位は、カラーフィルター基板側の共通電極の電位に対して、垂直走査周期ごとに、極性を反転させることを特徴とする垂直配向方式液晶表示装置の駆動方法と、この駆動方式を用いる垂直配向方式液晶表示装置。
【請求項１３】
請求項１，３，５においてアクティブマトリックス基板側の透明画素電極に形成されている細長くのびたスリットと、液晶配向方向制御電極と組みになったスリットとが走査信号配線方向に対してほぼ±４５度の角度の方向にお互いにほぼ平行な関係をたもちながら交互に配置されていることを特徴とする垂直配向方式液晶表示装置
【請求項１４】
請求項１，３，５においてアクティブマトリックス基板側の透明画素電極に形成されている細長くのびたスリットが走査信号配線の方向に対して±４５度の角度の方向に配置されており、かつ液晶配向方向制御電極と組みになっているスリットが、走査信号配線方向に対して平行な方向と、直交する方向に配置され、かつ画素電極の外周部を液晶配向方向制御電極が画素電極と絶縁膜をかいしてかさなりながらとりかこんでいる構造を特徴とする垂直配向方式液晶表示装置
【請求項１５】
請求項１，３，５においてアクティブマトリックス基板側の透明画素電極に形成されている細長くのびたスリットが走査信号配線の方向に対して平行な方向と、直交する方向とに配置され、かつ液晶配向方向制御電極と組みになっているスリットが、走査信号配線方向に対して平行に配置されており、かつ画素電極の外周部を液晶配向方向制御電極が、画素電極と絶縁膜をかいしてかさなりながらとりかこんでいる構造を特徴とする垂直配向方式液晶表示装置
【請求項１６】
請求項１，３，５において、アクティブマトリックス基板側の透明画素電極に形成されている細長くのびたスリットが走査信号配線方向に対して平行な方向と、直交する方向に配置され、かつ液晶配向方向制御電極と組みになっているスリットが走査信号配線方向に対して±４５度の角度の方向に配置されている構造を特徴とする垂直配向方式液晶表示装置
【請求項１７】
請求項７，９，１１において、アクティブマトリックス基板側の透明画素電極に形成されている複数の円形または多角形のホールをとりかこむように液晶配向方向制御電極と組みになったスリットが、走査信号配線方向に対して平行な方向と、直交する方向に配置されておりかつ画素電極の外周部を液晶配向方向制御電極が、画素電極と絶縁膜をかいしてかさなりながらとりかこんでいる構造を特徴とする垂直配向方式液晶表示装置
【請求項１８】
請求項１，３，５，７，９，１１において透明画素電極のスリットの下層に絶縁物層をかいして形成された液晶配向方向制御電極が、走査信号配線形成時に同時に同じ層に形成されていることを特徴とする垂直配向方式液晶表示装置
【請求項１９】
請求項１，３，５，７，１１において透明画素電極のスリットの下層に絶縁物層をかいして形成された液晶配向方向制御電極と、透明画素電極とで付加容量を形成していることを特徴とする垂直配向方式液晶表示装置
【請求項２０】
請求項３，９において走査信号配線と液晶配向方向制御電極の両方の接続端子が表示画面部の左側または右側のどちらか一方に配置され、走査信号配線の接続端子部にはさまれて一行の画素を制御する２行の液晶配向方向制御電極の接続端子部が配置されていることを特徴とする垂直配向方式液晶表示装置
【請求項２１】
請求項５，１１において走査信号配線と液晶配向方向制御電極の両方の接続端子が表示画面部の左側または右側のどちらか一方に配置され、走査信号配線の接続端子部にはさまれて、一行の画素を制御する一行の液晶配向方向制御電極の接続端子部が配置されていることを特徴とする垂直配向方式液晶表示装置
【請求項２２】
請求項１，３，５，７，９，１１において走査信号配線の接続端子部が表示画面部の左側または右側のどちらか１方に配置され、かつ液晶配向方向制御電極の接続端子部は、走査線の接続端子部とは異なるもう一方側に配置されていることを特徴とする垂直配向方式液晶表示装置
【請求項２３】
請求項３，９において走査信号配線と液晶配向方向制御電極の両方ともに、接続端子が表示画面部の左右両側に配置されており、かつ走査信号配線の接続端子部にはさまれて、一行の画素を制御する２行の液晶配向方向制御電極の接続端子部が配置されていることを特徴とする垂直配向方式液晶表示装置
【請求項２４】
請求項５，１１において走査信号配線と液晶配向方向制御電極の両方ともに、接続端子が表示画面部の左右両側に配置されており、かつ走査信号配線の接続端子部にはさまれて、一行の画素を制御する一行の液晶配向方向制御電極の接続端子部が配置されていることを特徴とする垂直配向方式液晶表示装置。
【請求項２５】
請求項１，３，５，７，９，１１において、動画表示の時に、透明画素電極のスリットの下層に形成されている液晶配向方向制御電極と、透明画素電極間に印加されるバイアス電圧を、静止画表示の時よりも大きくし、負の誘電率異方性液晶分子のたおれる速度をはやくしたことを特徴とする垂直配向方式液晶表示装置。
【発明の詳細な説明】
【０００１】
【産業上の利用分野】
本発明は、低コストで広視野角・高輝度・高速応答の大画面アクティブマトリックス型液晶ＴＶ表示装置に関する。
【０００２】
【従来の技術】
図１にあるように従来の垂直配向方式液晶表示装置は、カラーフィルター側基板の透明共通電極の上に、液晶分子の運動方向を制御するバンプを形成し、かつアクティブマトリックス基板の透明画素電極に、液晶分子の運動方向を制御するスリットをもうけ、これらのバンプとスリットが１組になって液晶分子の運動方向を決定する方式を採用している。カラーフィルター側基板にバンプのかわりに液晶分子の運動方向を制御するスリットを透明共通電極に形成する方式もある。これらの両方の方式ともに量産され実用化されている。
【０００３】
【発明が解決しようとする課題】
従来のマルチドメイン垂直配向方式液晶表示装置では、カラーフィルター基板に、バンプかスリットを透明共通電極に形成しなければならず、ホトマスク工程を１回ふやさなければならなかった。そのためにコストアップをさけることができなかった。
【０００４】さらに図１にあるようなカラーフィルター側にバンプを形成する垂直配向方式液晶表示装置では、バンプの幅，高さ、傾斜面の角度を精密にコントロールしないと、液晶分子のたおれかたにバラツキが生じてしまい、中間調領域でムラが発生する。バンプの材質がポジ型ホトレジストであるために、有機溶剤を完全にとりのぞく必要があり、２００度以上の高温で焼きかためなければならず工程の短縮化が難かしい。ポジ型ホトレジストのバンプから液晶中に汚染物が溶出した場合、残像の現象が発生し信頼性の点でも問題となる。
【０００５】従来のバンプを用いたカラーフィルター基板では、バンプの材料としてポジ型ホトレジストを用いるために、垂直配向膜の塗布工程で不良が発生した場合、リワークする時に酸素プラズマを用いたドライアッシング方法を用いることができない。そのために、ランニングコストの高いウェットリムーブ方法を用いなければならずリワークコストが非常に高くなるという欠点があった。
【０００６】従来のバンプやスリットを用いる垂直配向方式液晶表示装置では黒表示から中間調表示または白表示から中間調表示に移る時の液晶の応答速度が遅いという欠点があった。
【０００７】本発明は、上記の問題点を解決するものであり、その目的とする所は、大型の垂直配向方式液晶表示装置の信頼性を向上し、安価に短時間で製造できしかも明るく、応答速度のはやい液晶表示を実現することにある。
【０００８】
【課題を解決するための手段】前記課題を解決し、上記目的を達成するために、本発明では、下記の手段を用いる。
【０００９】〔手段１〕アクティブマトリックス基板とカラーフィルター基板に垂直配向された、負の誘電率異方性液晶分子に電圧を印加し、異なる２方向または、４方向に液晶分子をたおれさせるために下記の２種類の電極構造をアクティブマトリックス基板の１画素内に形成した。
ｉ）カラーフィルター基板側には透明なベタ共通電極を用いこれに対向するアクティブマトリックス基板側の透明画素電極には、細長いスリット状のパターン（スリット部には透明電極はない。）を形成する。
ｉｉ）カラーフィルター基板側には透明なベタ共通電極を用いこれに対向するアクティブマトリックス基板側の透明画素電極には、細長いスリット状のパターンが形成されており、透明画素電極の下層には、絶縁層をかいして、２行の互いに分離され、それぞれ異なる電位に設定されている液晶配向方向制御電極が存在し、このうちどちらか１方の液晶配向方向制御電極が、前記細長いスリット状のパターンの形状とほぼ同じ形状で、スリットよりもオーバーサイズになっており、かつ２行の互いに分離独立した液晶配向方向制御電極が、走査信号配線方向に、一定の画素周期ごとに互いにいれかわって透明画素電極に形成された細長いスリットの下層に配置されている。
【００１０】〔手段２〕手段１の電極構造を有する垂直配向方式液晶表示装置の駆動法として下記の駆動方式を用いる。アクティブマトリックス基板側の各画素ごとに分離された透明画素電極の電位が、対向するカラーフィルター基板側わのベタ共通電極の電位よりも低い時に、透明画素電極のスリットの下層に設置された液晶配向方向制御電極の電位が透明画素電極の電位よりも低く設定されており、かく透明画素電極の電位が、対向するカラーフィルター基板側のベタ共通電極の電位よりも高い時に、透明画素電極のスリットの下層に設置された液晶配向方向制御電極の電位が、透明画素電極の電位よりも高く設定されており、かつ走査信号配線の両側に近接して配置されている液晶配向方向制御電極の電位が、お互いに異なった極性電位に設定されており、かつ透明画素電極の電位と１画素内に分離独立している２行の液晶配向方向制御電極のそれぞれの電位は、カラーフィルター基板側の共通電極の電位に対して垂直走査周期ごとに、極性を反転させる駆動方式を用いる。
【００１１】〔手段３〕走査信号配線の方向に隣り合う透明画素電極が互いに異なる走査信号配線によって制御される薄膜トランジスタに接続されているカラーアクティブマトリックス型垂直配向方式液晶表示装置に関して、アクティブマトリックス基板とカラーフィルター基板間に垂直配向された液晶分子に電圧を印加し、異なる２方向または異なる４方向に液晶分子をたおれさせるために、下記の２種類の電極構造をアクティブマトリックス基板の１画素内に形成した。
ｉ）カラーフィルター基板側には透明なベタ共通電極を用い、これに対向するアクティブマトリックス基板側の透明画素電極には、細長いスリット状のパターン（スリット部には透明電極はない。）を形成する。
ｉｉ）カラーフィルター基板側には、透明なベタ共通電極を用い、これに対向するアクティブマトリックス基板側の透明画素電極には、細長いスリット状のパターンを形成し、このスリットの下層に絶縁膜をかいして、スリットの形状とほぼ同じ形状で、スリットよりもオーバーサイズになっている液晶配向方向制御電極を形成する。
【００１２】〔手段４〕手段３の電極構造を有する垂直配向方式液晶表示装置の駆動法として下記の駆動方式を用いる。アクティブマトリックス基板側の各画素ごとに分離された透明画素電極の電位が対向するカラーフィルター基板側のベタ共通電極の電位よりも低い時に、透明画素電極のスリットの下層に設置された液晶配向方向制御電極の電位が透明画素電極の電位よりも低く設定されており、かつ透明画素電極の電位が対向するカラーフィルター基板側のベタ共通電極の電位よりも高い時には、透明画素電極のスリットの下層に設置された液晶配向方向制御電極の電位が、透明画素電極の電位よりも高く設定されており、かつ透明画素電極の電位と液晶配向方向制御電極の電位は、カラーフィルター基板側の共通電極の電位に対して、垂直走査周期ごとに、極性を反転させる駆動方式を用いる。
【００１３】〔手段５〕アクティブマトリックス基板とカラーフィルター基板に垂直配向された負の誘電率異方性液晶分子に電圧を印加し多方向に液晶分子をたおれさせるために、下記の２種類の電極構造をアクティブマトリックス基板の１画素内に形成した。
ｉ）カラーフィルター基板側には透明なベタ電極を用い、これに対向するアクティブマトリックス基板側の透明画素電極には、円形または多角形の穴（穴の部分には透明電極はない。）を多数形成する。
ｉｉ）カラーフィルター基板側には透明なベタ電極を用い、これに対向するアクティブマトリックス基板側の透明画素電極には、細長いスリット状のパターンが形成されており、透明画素電極には、細長いスリット状のパターンが形成されており、透明画素電極の下層には、絶縁層をかいして、２行の互いに分離され、それぞれ異なる電位に設定されている液晶配向方向制御電極が存在し、このうちどちらか１方の液晶配向方向制御電極が、前記細長いスリット状のパターン形状とほぼ同じ形状でスリットよりもオーバーサイズになっており、かつ２行の互いに分離独立した液晶配向方向制御電極が、走査信号配線方向に、一定の画素周期ごとに、互いにいれかわって透明画素電極に形成された細長いスリットの下層に配置されている。
【００１４】〔手段６〕手段５の電極構造を有する垂直配向方式液晶表示装置の駆動法として、下記の駆動方式を用いる。アクティブマトリックス基板側の各画素ごとに分離された透明画素電極の電位が、対向するカラーフィルター基板側のベタ共通電極の電位よりも低い時に、透明画素電極のスリットの下層に設置された液晶配向方向制御電極の電位が透明画素電極の電位よりも低く設定されており、かつ透明画素電極の電位が対向するカラーフィルター基板側のベタ共通電極の電位よりも高い時に、透明画素電極のスリットの下層に設置された液晶配向方向制御電極の電位が、透明画素電極の電位よりも高く設定されており、かつ走査信号配線の両側に近接して配置されている液晶配向方向制御電極の電位が、お互いに異なった極性電位に設定されており、かつ透明画素電極の電位と、１画素内に分離独立している２行の液晶配向方向制御電極のそれぞれの電位は、カラーフィルター基板側の共通電極の電位に対して垂直走査周期ごとに、極性を反転させる駆動方式を用いる。
【００１５】〔手段７〕走査信号配線の方向に隣り合う透明画素電極が、互いに異なる走査信号配線によって制御される薄膜トランジスタに接続されているアクティブマトリックス型垂直配向方式液晶表示装置に関して、アクティブマトリックス基板とカラーフィルター基板間に垂直配向された液晶分子に電圧を印加し、多方向に液晶分子をたおれさせるために、下記の２種類の電極構造をアクティブマトリックス基板の１画素内に形成した。
ｉ）カラーフィルター基板側には透明なベタ電極を用いこれに対向するアクティブマトリックス基板側の透明画素電極には、円形または多角形の穴（穴の部分には、透明電極はない。）を多数形成する。
ｉｉ）カラーフィルター基板側には透明なベタ電極を用い、これに対向するアクティブマトリックス基板側の透明画素電極には、細長いスリット状のパターンを形成し、このスリットの下層に、絶縁膜をかいしてスリットの形状とほぼ同じ形状でスリットよりもオーバーサイズになっている液晶配向方向制御電極を形成する。
【００１６】〔手段８〕手段７の電極構造を有する垂直配向方式液晶表示装置の駆動法として、下記の駆動方式を用いる。アクティブマトリックス基板側の各画素ごとに分離された透明画素電極の電位が、対向するカラーフィルター基板側のベタ共通電極の電位よりも低い時に、透明画素電極のスリットの下層に設置された液晶配向方向制御電極の電位が透明画素電極の電位よりも低く設定されており、かつ透明画素電極の電位が対向するカラーフィルター基板側のベタ共通電極の電位よりも高い時には、透明画素電極のスリットの下層に設置された液晶配向方向制御電極の電位が、透明画素電極の電位よりも高く設定されており、かつ透明画素電極の電位と、液晶配向方向制御電極の電位は、カラーフィルター基板側の共通電極の電位に対して、垂直走査周期ごとに、極性を反転させる駆動方式を用いる。
【００１７】〔手段９〕手段１，３において、アクティブマトリックス基板側の透明画素電極に形成されている細長くのびたスリットと、液晶配向方向制御電極と組みになったスリットとが、走査信号配線方向に対してほぼ±４５度の角度の方向に、ほぼ平行な関係をたもちながら交互に配置されており、液晶セルの外部に設置する２枚の偏光板の偏光軸は、走査信号配線方向と、映像信号配線方向にそろえ互いに直交する配置とした。
【００１８】〔手段１０〕手段１，３において、アクティブマトリックス基板側の透明画素電極に形成されている細長くのびたスリットが、走査信号配線の方向に対して±４５度の角度の方向に配置されており、かつ液晶配向方向制御電極と組みになっているスリットが走査信号配線方向に対して平行な方向と、直交する方向に配置されかつ画素電極の外周部を液晶配向方向制御電極が画素電極と絶縁膜をかいしてかさなりながらとりかこんでいる構造をしており、液晶セルの外部に設置する　２枚の偏光板の偏光軸は、走査信号配線方向と映像信号配線方向にそろえ、互いに直交する配置とした。
【００１９】〔手段１１〕手段１，３において、アクティブマトリックス基板側の透明画素電極に形成されている細長くのびたスリットが走査信号配線の方向に対して平行な方向と、直交する方向とに配置されかつ液晶配向方向制御電極と組みになっているスリットが、走査信号配線方向に対して平行に配置されており、かつ画素電極の外周部を液晶配向方向制御電極が、画素電極と絶縁膜をかいしてかさなりながらとりかこんでいる構造をしており、液晶セルの外部に設置する２枚の偏光板の偏光軸は、走査信号配線方向と映像信号配線方向にそろえ互いに直交する配置とした。
【００２０】〔手段１２〕手段１，３において、アクティブマトリックス基板側の透明画素電極に形成されている細長くのびたスリットが、走査信号配線方向に対して平行な方向と、直交する方向に配置され、かつ液晶配向方向制御電極と組みになっているスリットが、走査信号配線方向に対して±４５度の角度の方向に配置されている構造をしており、液晶セルの外部に設置する２枚の偏光板の偏光軸は、走査信号配線方向と映像信号配線方向にそろえ互いに直交する配置とした。
【００２１】〔手段１３〕手段５，７において、アクティブマトリックス基板側の透明画素電極に形成されている複数の円形または多角形のホールをとり囲むように液晶配向方向制御電極と組みになったスリットが走査信号配線方向に対して平行な方向と直交する方向に配置されており、かつ画素電極の外周部を液晶配向方向制御電極が画素電極と絶縁膜をかいしてかさなりながらとりかこんでいる構造としており、液晶セルの外部に設置する２枚の偏光板の偏光軸は、走査信号配線方向と映像信号配線方向にそろえ互いに直交する配置とした。
【００２２】〔手段１４〕手段１，３，５，７において、透明画素電極のスリットの下層に絶縁物層をかいして形成された液晶配向方向制御電極が、走査信号配線形成時に同時に同じ層に形成されるようにした。
【００２３】〔手段１５〕手段１，３，５，７において、透明画素電極のスリットの下層に絶縁物層をかいして形成された液晶配向方向制御電極と透明画素電極とで、付加容量を形成した。
【００２４】〔手段１６〕手段１，５において、走査信号配線と液晶配向方向制御電極はすべて完全に分離独立しておりそれぞれ別の駆動ＩＣの出力端子に接続され、一行の画素を制御する２行の液晶配向方向制御電極の接続端子部は、異なる走査信号配線の接続端子部にはさまれるように配置されている。
【００２５】〔手段１７〕手段３，７において、走査信号配線と液晶配向方向制御電極はすべて完全に分離独立しておりそれぞれ別の駆動ＩＣの出力端子に接続され、一行の画素を制御する一行の液晶配向方向制御電極の接続端子部は、異なる走査信号配線の接続端子部にはさまれるように配置されている。
【００２６】〔手段１８〕手段１，３，５，７において、走査信号配線の接続端子部が表示画面部の左側または右側のどちらか１方に配置され、かつ液晶配向方向制御電極の接続端子部は、走査信号配線の接続端子部とは異なるもう一方側に配置され、それぞれの接続端子は完全に分離独立しており、それぞれ別の駆動ＩＣの出力端子に接続されている。
【００２７】〔手段１９〕手段１，５において、走査信号配線と液晶配向方向制御電極はすべて完全に分離独立しており、それぞれの接続端子が表示画面の左右両側に配置されており、かつ１行の画素を制御する２行の液晶配向方向制御電極の接続端子部は、異なる走査信号配線の接続端子部にはさまれるように配置されている。
【００２８】〔手段２０〕手段３，７において、走査信号配線と液晶配向方向制御電極は、すべて完全に分離独立しており、それぞれの接続端子が表示画面の左右両側に配置されており、かつ１行の画素を制御する１行の液晶配向方向制御電極の接続端子部は、異なる走査信号配線の接続端子部にはさまれるように配置されている。
【００２９】〔手段２１〕手段２，４，６，８において、動画表示の時に、透明画素電極のスリットの下層に形成されている液晶配向方向制御電極と、透明画素電極間に印加されるバイアス電圧を、静止画表示の時よりも大きくし、負の誘電率異方性液晶分子のたおれる速度をはやくした。
【００３０】
【作用】手段１，２，３，４，５，６，７，８を用いることで図２，図３図５，図６にしめされているように負の誘電率異方性液晶分子を垂直配向された状態から目的とする方向にたおれさせることが可能となります。これにより従来の図１にあるような垂直配向方式液晶表示装置のカラーフィルター側基板に形成しなければならなかった液晶分子の運動方向制御用バンプ▲５▼を形成する必要がなくなった。これにより図４にあるように安価なカラーフィルターを用いてマルチドメイン垂直配向方式液晶表示装置を作れるようになる。さらに図４から、わかるようにカラーフィルター側のベタ共通電極とアクティブマトリックス基板の透明画素電極のあいだには、配向膜と負の誘電率異方性液晶しか存在しないのでバンプ▲５▼からの汚染物の拡散などの問題が完全になくなり信頼性がいちじるしく向上する。
【００３１】さらに、バンプ▲５▼がないので配向膜塗布が失敗しても、ドライアッシャーによる酸素プラズマで簡単に短時間で再生することができる。配向膜塗布前の表面処理に、ドライアッシャーを用いた酸素とアルゴンのプラズマ処理を用いることができるので配向膜塗布工程でのはじきやピンホールの発生を激減できる。
【００３２】手段９，１０，１１，１２，１３を用いることで、偏光板の有効利用効率を大幅に向上することができ、超大型液晶表示装置で用いる偏光板のコストを低減できる。さらにバックライトで使用する２種類の材料の多層積層体からなる反射性偏光子の有効利用効率も同様に大幅に向上することができるので超大型液晶表示装置用バックライトのコストも低減できる。液晶分子の運動方向を４方向に制御できるので広い視野角も実現できる。
【００３３】手段１４，１５を用いることで従来のアクティブマトリックス基板の製造工程を変更することなく、まったく同じプロセスで本発明のアクティブマトリックス基板を製造できる。さらに図７，図８，図９，図１０，図１４，図１６，図１７，図１８，図２５にあるように、液晶配向方向制御電極が映像信号配線の両側に近接して配置されているために、映像信号配線の電位変動がシールドされやすくなっている。このために、垂直方向のクロストークの発生を完全におさえることができる。
【００３０】手段１６，１７，１８，１９，２０を用いることで各行の画素電極のスリットの下層に形成されている液晶配向方向制御電極を各行ごとに別々に駆動することが可能となり表示画面の上部、中部、下部ともに同じ条件で均一表示することができるようになります。
【００３１】手段２，４，６，８，２１を用いることで負の誘電率異方性液晶分子を垂直配向された状態から目的とする方向にたおれさせることが可能となり、ディスクリネーションの発生を防止でき均一な中間調表示が可能となります。さらに従来の垂直配向方式液晶表示モードで問題となっていた黒表示から中間調表示、白表示から中間調表示への応答スピードの遅さが、本発明を用いることで大幅に改善できる。動画対応の時には、透明画素電極と透明画素電極のスリットの下層に形成された液晶配向方向制御電極との間に印加されるバイアス電圧を大きくすることで応答速度をさらに向上することが可能である。本発明では黒表示に近づけば近づくほど上記バイアス電圧が大きくなるように作用するため応答速度を全領域で改善することができる。
【００３２】
【実施例】
〔実施例１〕図４，図５，図６は、本発明の第１の実施例の断面図である。カラーフィルター基板にはベタ透明共通電極があり、この基板に対向してアクティブマトリックス基板が平行に配置されている。アクティブマトリックス基板はまず走査信号配線と液晶配向方向制御電極を同時に同じ層に形成した後、ゲート絶縁膜とアモルファスシリコン層とオーミックコンタクト用のｎ＋アモルファスシリコン層を堆積する。薄膜トランジスタ素子部を形成した後映像信号配線とドレイン電極を形成する。次にパッシベーション膜を堆積してからドレイン電極の部分にコンタクトホールを形成して透明導電膜を堆積する。透明導電膜は、図７にあるようにスリットがいくつか形成されて各画素ごとに完全に分離され透明画素電極となる。本発明の電極構造の特徴は図２にあるように、カラーフィルター側のベタ共通電極に対向して細長いスリットまたは円形または多角形のホールが形成されている部分と、図３にあるようにカラーフィルター側のベタ共通電極に対向して細長いスリットとスリットの下層にスリットとほぼ同じ形状でスリットよりもオーバーサイズで液晶配向方向制御電極が形成されている部分とが１画素内に共存している点にあります。図５，図６にあるようにこの２種類の電極構造により、負の誘電率異方性液晶分子は１画素内で２方向または４方向または多方向に正確に目的とする方向にたおれるように制御されます。図２，図３に等電位線の分布がえがかれています。
【００３３】図４，図５，図６にあるように実施例１では、映像信号配線の左右両側に近接して液晶配向方向制御電極が配置されている。映像信号配線の信号電圧変化を液晶配向方向制御電極がシールドしてまうため透明画素電極に映像信号配線の影響がつたわらない。従来の図１にしめした垂直配向方式液晶表示装置とくらべて図４の本発明の垂直配向方式液晶表示装置は垂直クロストークの発生が少ない。カラーフィルターのＢＭ（遮光膜）の幅も従来のものよりも狭くできるので開口率の大きな垂直配向方式液晶表示装置を実現できる。
【００３４】〔実施例２〕図３０，図３１，図３２は、本発明の第２の実施例の断面図である。基本的な考え方は実施例１とほぼ同じ構造を採用している。１画素内に図２と図３に示されているような２種類の電極構造が共存している点に特徴がある。図３０，図３１，図３２にあるように映像信号配線は、画素電極に左右両側からはさまれているだけなので映像信号配線の容量を最少に設計できるため、映像信号配線の抵抗値が高くても信号遅延の問題が発生しにくい。図２４は、実施例２の平面図である。液晶配向方向制御電極は１画中に１行しか存在していない。となりあう画素電極はそれぞれ異なる走査信号配線によって制御される薄膜トランジスタに接続されている。図２４の平面図にあるように液晶配向方向制御電極が走査信号配線に近接する領域が小さいために走査信号配線と液晶配向方向制御電極とを同じ層に同時に形成してもお互いが連結しあい電気的にショートしてしまう欠陥が発生する確率は非常に小さい。スリットは走査信号配線の方向に平行な方向と垂直な方向に形成されており、液晶配向方向制御電極と組みになっているスリットは走査信号配線の方向に対して±４５度の角度の方向にのびている。液晶配向方向制御電極と組みになっているスリットは図２８，図２９にあるようなひし型をつなげたような形状でも良いし、四角形をならべたような形状でも良い。
【００３５】〔実施例３〕図７は、本発明の第３の実施例の平面図である。実施例１の断面構造図と実施例２の断面構造図の２種類が１画素内部に混在している構造をしている。１画素内に２行の液晶配向方向制御電極が配置されており、それぞれの電位は、対向するカラーフィルター側の共通電極電位を基準として正極電位と負極電位になっている。となりあう透明画素電極はそれぞれ異なる液晶配向方向制御電極によってコントロールされている。図１１と図１２にあるように、透明画素電極に正の極性の信号が書きこまれた時には透明画素電極のスリットの下層に絶縁膜をかいして形成されている液晶配向方向制御電極の電位は透明画素電極よりも高い正の極性電位にあり、透明画素電極に負の極性の信号が書きこまれた時には透明画素電極のスリットの下層に絶縁膜をかいして形成されている液晶配向方向制御電極の電位は、透明画素電極よりも低い負の極性電位にある。透明画素電極と１画素内に配置されている２行の液晶配向方向制御電極は垂直周期ごとにそれぞれの極性をいれかえている。
【００３６】図７にあるように透明画素電極に形成されているスリットとスリットの下層に配置されている液晶配向方向制御電極は、走査信号配線の方向に対して±４５度の角度で配置されている。１画素の上半分と下半分とではそれぞれスリットとスリットの下層の液晶配向方向制御電極はお互いにほぼ平行にたがいちがいに配置されている。画素の中央部に液晶配向方向制御電極が上半分と下半分を分離するように配置されている点に特徴がある。偏光板は液晶セルの外部に偏光軸が走査信号配線に対して平行と直角方向になるように互いに直交する関係で配置されている。
【００３７】〔実施例４〕図８，図９，図１０は本発明の第４の実施例の平面図である。実施例１の断面構造図を採用しており、透明画素電極の外周を液晶配向方向制御電極がとりかこんでいる。このために映像信号配線の電位変動の影響を透明画素電極が受けにくいので垂直クロストークが発生しにくい。液晶配向方向制御電極と透明画素電極とがオーバーラップしているためにカラーフィルターの遮光膜（ＢＭ）の範囲をせばめることができるために開口率をあげることができる。１画素内に２行の液晶配向方向制御電極が存在しており駆動方式は実施例３とほぼ同じ方式を用いることができる。図８では画素電極に形成されたスリットが走査信号配線方向に対して±４５度の方向に配置されている。図９では画素電極に形成されたスリットは走査信号配線方向に対して水平と垂直の２方向に配置されている。図１０では画素電極にこまかいスリットのきざみを液晶分子の運動方向にいれている。偏光板の配置は実施例３とまったく同じで良い。
【００３８】〔実施例５〕図１４は、本発明の第５の実施例の平面図である。実施例１の断面構造図を採用しており、透明画素電極の外周を液晶配向方向制御電極がとりかこんでいる。このため映像信号配線の電位変動の影響を透明画素電極が受けにくいので、垂直クロストークが発生しにくい。実施例４と異なるのは透明画素電極に円形のホールが多数形成されている点である。円形以外でも多角形のホールであれば形状は、なんでも良い。１画素内に２行の液晶配向方向制御電極が存在しており、駆動方式は実施例３と同じ方式を用いる。偏光板の配置は実施例３と同じで良い。
【００３９】〔実施例６〕図１６は、本発明の第６の実施例の平面図である。実施例１の断面構造図と実施例２の断面構造図の２種類が１画素内部に混在している構造をしている。１画素内に１行の液晶配向方向制御電極が配置されていて、となりあう画素電極はそれぞれ異なる走査信号配線によって制御されている薄膜トランジスタ素子に連結されている。透明画素電極に形成されている細長いスリットとスリットの下層に絶縁膜をかいして形成されている液晶配向方向制御電極の形状は実施例３とほぼ同様で、走査信号配線の方向に対して±４５度の角度で配置されている。１画素の上半分と下半分とではそれぞれスリットとスリットの下層に形成されている液晶配向方向制御電極は、お互いにほぼ平行にたがいちがいに配置されている。画素の中央部に上半分と下半分を分離している液晶制御電極が配置されている。偏光板は液晶セルの外部に偏光軸が走査信号配線に対して平行と直角方向になるように互いに直交する関係に配置されている。
【００４０】本発明のすべての実施例において透明画素電極と液晶配向方向制御電極とが絶縁膜をかいしてお互いにかさなりあうことで付加容量（保持容量）を形成している。付加容量を大きくしたければお互いのかさなりあう領域を大きくすれば良い。付加容量を小さくしたければ、お互いのかさなりあう領域を小さくすれば良い。通常の範囲ではかさなりあう幅は２ミクロン程度あれば十分な付加容量が形成される。
【００４１】図２２，図２３に実施例６の駆動方法がしめされている。実施例３の駆動方法とはすこし異なっている。実施例３ではとなりあう画素電極は同一の走査信号配線によってコントロールされており映像信号配線からそれぞれ異なる極性の映像信号が書きこまれる方式を用いている。実施例６ではとなりあう画素電極は異なる走査信号配線によってコントロールされており、映像信号配線から同じ極性の映像信号が、１水平走査期間ずれて書きこまれる方式を用いている。図２２，図２３にあるように、透明画素電極に正の信号が書きこまれた時には、液晶配向方向制御電極の電位は透明画素電極よりも高い正の極性電位にあり、透明画素電極に負の信号が書きこまれた時には、液晶配向方向制御電極の電位は透明画素電極よりも低い負の極性電位にある。透明画素電極と液晶配向方向制御電極は、垂直周期ごとにそれぞれの極性を反転させている。
【００４２】本発明のすべての実施例において透明画素電極と液晶配向方向制御電極の電位差を大きくすることで、負の誘電率異方性液晶分子を垂直方向から目的とする方向にかたむきさせることが可能である。垂直方向（９０度）からほんの１〜２度傾斜させるだけで十分である。通常４〜５Ｖ以上のバイアス電位が印加される。高速応答させるためには、傾斜角を１０度以上傾斜させる必要がありこの場合６〜８Ｖ以上のバイアス電位を印加する。液晶ＴＶ用として本発明を用いる場合、透明画素電極と液晶配向方向制御電極とのバイアス電位を大きく設定すると良い。コンピューター用表示装置とＴＶ用動画表示装置をかねる時にはこのバイアス電位を変化できるように回路設計すると良い。
【００４３】〔実施例７〕図１７，図１８は、本発明の第７の実施例の平面図である。実施例１の断面構造図を採用しており、透明画素電極の外周を液晶配向方向制御電極がとりかこんでいる。このために映像信号配線の電位変動の影響を透明画素電極が受けにくいので垂直クロストークが発生しにくい。１画素中に１行の液晶配向方向制御電極が存在しており、となりあう透明画素電極は、それぞれ異なる走査信号配線によって制御されている薄膜トランジスタ素子に連結されている。駆動方法は実施例６と同じである。偏光板の配置も実施例６と同じである。
【００４４】〔実施例８〕図２５は、本発明の第８の実施例の平面図である。実施例１の断面構造図を採用しており、透明画素電極の外周を液晶配向方向制御電極がとりかこんでいる。このために映像信号配線の電位変動の影響を透明画素電極が受けにくいので垂直クロストークが発生しにくい。１画素中に１行の液晶配向方向制御電極が存在しており、となりあう透明画素電極は、それぞれ異なる走査信号配線によって制御されている薄膜トランジスタ素子に連結されている。駆動方法は実施例６と同じである。透明画素電極に円形のホールが多数形成されている。円形以外でも多角形のホールであればどんな形状でも良い。負の誘電率異方性液晶に左回りまたは右回りのどちらかのカイラル材をブレンドすることにより施光性液晶表示モードを実現できる。この場合液晶セルギャップｄと屈折率異方性Δｎの積の値が０．３０〜０．６０ミクロンメートルの範囲にあれば良い。負の誘電率異方性液晶分子は、円形のホールを中心として左旋回または右旋回しながらうず巻き状に配向してたおれこむことでバックライトの光を、直交配置された偏光板から通過させることができる。
【００４５】〔実施例９〕図２０は、本発明の第９の実施例のアクティブマトリックス基板の平面図である。走査信号配線と液晶配向方向制御電極の両方の接続端子部が表示画面の左側にあつめられている。図１９は接続端子部の拡大平面図である。１画素に２行の液晶配向方向制御電極が存在する場合の接続端子部の拡大平面図が図１３である。１本の走査信号配線は異なる行の液晶配向方向制御電極により上下両側からはさみこまれている。上下の液晶配向方向制御電極の極性切り換えのタイミングを図３３にあるように同時におこなうことで走査信号配線の電位変動を最小にくいとめることが可能となり、表示画面に垂平方向の周期的ムラが発生しにくくなる。図１３にあるように走査信号配線の端子と液晶配向方向制御電極の端子の距離をあけることで、接続端子間のショートを防止できる。
【００４６】〔実施例１０〕図１５，図２１は、本発明の第１０の実施例のアクティブマトリックス基板の平面図である。走査信号配線の接続端子部と液晶配向方向制御電極の接続端子部とがそれぞれ別々に表示画面の左側と右側に分離されている。駆動方法は図１１，図１２にあるような方法でも良いし、図３３にあるような方法でも良い。本発明の実施例図１５，図２１を採用することで接続端子間の距離を拡大できるので接続端子間のショートを防止できる。さらに通常のＴＮモードの走査信号配線駆動ＩＣを用いることができるので、開発コスト生産コストを低減することが可能である。
【００４７】〔実施例１１〕図２６，図２７は、本発明の第１１の実施例のアクティブマトリックス基板の平面図である。走査信号配線と液晶配向方向制御電極のそれぞれの接続端子部が表示画面の左右両端にもうけられている。大型液晶表示装置を駆動する時に一番大きな問題となる走査信号波形の遅延の問題をたやすく解決することができる。
【００４８】
【発明の効果】
本発明を用いることで従来のマルチドメイン垂直配向方式液晶表示装置に用いられていたバンプまたはスリット付きのカラーフィルター基板を用いる必要がなくなりコストを低減することが可能である。バンプやスリットの加工にともなうバラツキが原因の表示ムラが発生しなくなるので歩留りが非常に高くなる。バンプやスリットのすきまからの汚染物の拡散の問題もなくなり非常に信頼性の高い垂直配向方式液晶表示装置を実現できる。ポリイミド配向膜塗布工程で不良が発生しても簡単に酸素プラズマ処理によりリワーク可能となるのでリワークコストを低減できる。
【００４９】本発明の電極構造と駆動方法を用いることで液晶分子の応答速度を向上することができるので動画対応の超大型液晶ＴＶを実現できる。
【図面の簡単な説明】
【図１】従来のマルチドメイン垂直配向方式液晶パネルの断面構造図
【図２】平面電極とスリット電極が形成する電界による、垂直配向された負の誘電率異方性液晶分子の運動方向
【図３】平面電極とスリット電極と配向制御電極が形成する電界による、垂直配向された負の誘電率異方性液晶分子の運動方向
【図４】本発明のマルチドメイン垂直配向方式液晶パネルの断面構造図
【図５】本発明のマルチドメイン垂直配向方式液晶パネルの駆動原理断面構造図（画素電極負のデータの場合）
【図６】本発明のマルチドメイン垂直配向方式液晶パネルの駆動原理断面構造図（画素電極正のデータの場合）
【図７】本発明のマルチドメイン垂直配向方式液晶パネルの平面構造図
【図８】本発明のマルチドメイン垂直配向方式液晶パネルの平面構造図
【図９】本発明のマルチドメイン垂直配向方式液晶パネルの平面構造図
【図１０】本発明のマルチドメイン垂直配向方式液晶パネルの平面構造図
【図１１】本発明のマルチドメイン垂直配向方式液晶パネルの奇数列ｎ行目と（ｎ＋１）行目の薄膜トランジスタに印加される電圧波形図
【図１２】本発明のマルチドメイン垂直配向方式液晶パネルの偶数列ｎ行目と（ｎ＋１）行目の薄膜トランジスタに印加される電圧波形図
【図１３】本発明のマルチドメイン垂直配向方式液晶パネルの走査線と液晶配向制御電極の接続端子部の平面図
【図１４】本発明の垂直配向方式液晶パネルの平面構造図
【図１５】本発明の垂直配向方式アクティブマトリックス基板の平面図
【図１６】本発明のマルチドメイン垂直配向方式液晶パネルの平面構造図
【図１７】本発明のマルチドメイン垂直配向方式液晶パネルの平面構造図
【図１８】本発明のマルチドメイン垂直配向方式液晶パネルの平面構造図
【図１９】本発明のマルチドメイン垂直配向方式液晶パネルの走査線と液晶配向制御電極の接続端子部の平面図
【図２０】本発明の垂直配向方式アクティブマトリックス基板の平面図
【図２１】本発明の垂直配向方式アクティブマトリックス基板の平面図
【図２２】本発明のマルチドメイン垂直配向方式液晶パネルの奇数列ｎ行目と（ｎ＋１）行目の画素に対応するトランジスタに印加される電圧波形
【図２３】本発明のマルチドメイン垂直配向方式液晶パネルの偶数列ｎ行目と（ｎ＋１）行目の画素に対応するトランジスタに印加される電圧波形
【図２４】本発明のマルチドメイン垂直配向方式液晶パネルの平面構造図
【図２５】本発明のマルチドメイン垂直配向方式液晶パネルの平面構造図
【図２６】本発明の垂直配向方式アクティブマトリックス基板の平面図
【図２７】本発明の垂直配向方式アクティブマトリックス基板の平面図
【図２８】本発明の液晶配向制御電極と透明画素電極に形成されたスリットの平面図と断面構造図
【図２９】本発明の液晶配向制御電極と透明画素電極に形成されたスリットの平面図と断面構造図
【図３０】本発明のマルチドメイン垂直配向方式液晶パネルの断面構造図
【図３１】本発明のマルチドメイン垂直配向方式液晶パネルの駆動原理断面構造図（画素電極負のデータの場合）
【図３２】本発明のマルチドメイン垂直配向方式液晶パネルの駆動原理断面構造図（画素電極正のデータの場合）
【図３３】本発明のマルチドメイン垂直配向方式液晶パネルの奇数列ｎ行目と（ｎ＋１）行目の薄膜トランジスクに印加される電圧波形図
【符合の説明】
１‥‥カラーフィルター側ガラス基板
２‥‥ブラックマスク（遮光膜）
３‥‥カラーフィルター層
４‥‥カラーフィルター側透明導電膜（透明共通電極）
５‥‥垂直配向液晶分子の方向制御用バンプ
６‥‥カラーフィルター側垂直配向膜
７‥‥アクティブマトリックス基板側垂直配向膜
８‥‥透明画素電極
９‥‥画素電極側に形成されたスリット開口部
１０‥‥パッシベーション膜
１１‥‥映像信号配線
１２‥‥ゲート絶縁膜
１３‥‥アクティブマトリックス素子側ガラス基板
１４‥‥負の誘電率異方性液晶
１５‥‥液晶配向制御電極
１６‥‥薄膜トランジスタ素子
１７‥‥走査線
１８‥‥コンタクトホール
１９‥‥上部液晶配向制御電極
２０‥‥下部液晶配向制御電極
２１‥‥透明共通電極電位
２２‥‥奇数列映像信号配線波形
２３‥‥ｎ行走査線信号波形
２４‥‥（ｎ＋１）行走査線信号波形
２５‥‥ｎ行上部液晶配向制御電極信号波形
２６‥‥ｎ行下部液晶配向制御電極信号波形
２７‥‥（ｎ＋１）行上部液晶配向制御電極信号波形
２８‥‥（ｎ＋１）行下部液晶配向制御電極信号波形
２９‥‥偶数列映像信号配線波形
３０‥‥（ｎ−１）行走査線接続端子
３１‥‥ｎ行上部液晶配向制御電極接続端子
３２‥‥ｎ行下部液晶配向制御電極接続端子
３３‥‥ｎ行走査線接続端子
３４‥‥（ｎ＋１）行上部液晶配向制御電極接続端子
３５‥‥（ｎ＋１）行下部液晶配向制御電極接続端子
３６‥‥（ｎ＋１）行走査線接続端子
３７‥‥画素電極側に形成されたホール開口部
３８‥‥（ｎ−１）行液晶配向制御電極接続端子
３９‥‥ｎ行液晶配向制御電極接続端子
４０‥‥映像信号配線端子部
４１‥‥画素周辺共通電極端子部
４２‥‥静電気対策用保護回路
４３‥‥（ｎ−１）行走査線信号波形
４４‥‥ｎ行液晶配向制御電極信号波形
４５‥‥（ｎ＋１）行液晶配向制御電極信号波形
【図１】
2004102209.tif 000003
【図２】
2004102209.tif 000004
【図３】
2004102209.tif 000005
【図４】
2004102209.tif 000006
【図５】
2004102209.tif 000007
【図６】
2004102209.tif 000008
【図７】
2004102209.tif 000009
【図８】
2004102209.tif 000010
【図９】
2004102209.tif 000011
【図１０】
2004102209.tif 000012
【図１１】
2004102209.tif 000013
【図１４】
2004102209.tif 000014
【図１３】
2004102209.tif 000015
【図１５】
2004102209.tif 000016
【図１９】
2004102209.tif 000017
【図１６】
2004102209.tif 000018
【図１７】
2004102209.tif 000019
【図１８】
2004102209.tif 000020
【図２０】
2004102209.tif 000021
【図２１】
2004102209.tif 000022
【図２２】
2004102209.tif 000023
【図２４】
2004102209.tif 000024
【図２５】
2004102209.tif 000025
【図２６】
2004102209.tif 000026
【図２７】
2004102209.tif 000027
【図２８】
2004102209.tif 000028
【図２９】
2004102209.tif 000029
【図３０】
2004102209.tif 000030
【図３１】
2004102209.tif 000031
【図３２】
2004102209.tif 000032
【図３３】
2004102209.tif 000033
【手続補正書】
【提出日】平成14年12月27日(2002.12.27)
【手続補正１】
【補正対象書類名】図面
【補正対象項目名】全図
【補正方法】変更
【補正の内容】
【図１】
2004102209.tif 000034
【図２】
2004102209.tif 000035
【図３】
2004102209.tif 000036
【図４】
2004102209.tif 000037
【図５】
2004102209.tif 000038
【図６】
2004102209.tif 000039
【図７】
2004102209.tif 000040
【図８】
2004102209.tif 000041
【図９】
2004102209.tif 000042
【図１０】
2004102209.tif 000043
【図１１】
2004102209.tif 000044
【図１２】
2004102209.tif 000045
【図１３】
2004102209.tif 000046
【図１４】
2004102209.tif 000047
【図１５】
2004102209.tif 000048
【図１６】
2004102209.tif 000049
【図１７】
2004102209.tif 000050
【図１８】
2004102209.tif 000051
【図１９】
2004102209.tif 000052
【図２０】
2004102209.tif 000053
【図２１】
2004102209.tif 000054
【図２２】
2004102209.tif 000055
【図２３】
2004102209.tif 000056
【図２４】
2004102209.tif 000057
【図２５】
2004102209.tif 000058
【図２６】
2004102209.tif 000059
【図２７】
2004102209.tif 000060
【図２８】
2004102209.tif 000061
【図２９】
2004102209.tif 000062
【図３０】
2004102209.tif 000063
【図３１】
2004102209.tif 000064
【図３２】
2004102209.tif 000065
【図３３】
2004102209.tif 000066